(57)【要約】【課題】一回の印刷設定で使用者が意図する内容で記録材の綴じが行われる記録材処理装置及び画像形成システムを提供する。【解決手段】記録材に第１綴じを行う第１綴じ手段と、記録材に第１綴じとは異なる第２綴じを行う第２綴じ手段と、複数の機種の装置への印刷情報設定が可能な共通ドライバからの指示か、自装置を想定して印刷情報設定を行う固有ドライバからの処理指示かを判断する判断手段と、共通ドライバからの指示か固有ドライバからの指示かに応じて、綴じる際に自装置の処理内容の影響度を異ならせる制御を行う制御手段と、を備えた。【選択図】図８
2020011822.tif 000002
【特許請求の範囲】
【請求項１】
記録材に第１綴じを行う第１綴じ手段と、
前記記録材に前記第１綴じとは異なる第２綴じを行う第２綴じ手段と、
前記第１綴じか前記第２綴じかを選択する選択部のない第１ドライバからの指示か、前記第１綴じか前記第２綴じかを選択する選択部のある第２ドライバからの指示かを判断する判断手段と、
前記第１ドライバからの指示か、前記第２ドライバからの指示かに応じて、綴じる際に自装置の処理内容の影響度を異ならせる制御を行う制御手段と、を備えた、
ことを特徴とする記録材処理装置。
【請求項２】
前記制御手段は、前記第１ドライバからの指示の場合には、前記自装置で設定されている内容に応じて綴じ手段を選択し、前記第２ドライバからの指示の場合には、前記第２ドライバで設定されている内容で綴じを行う、
ことを特徴とする請求項１に記載の記録材処理装置。
【請求項３】
記録材に第１綴じを行う第１綴じ手段と、
前記記録材に前記第１綴じとは異なる第２綴じを行う第２綴じ手段と、
複数の機種の装置への印刷情報設定が可能な共通ドライバからの指示か、自装置を想定して印刷情報設定を行う固有ドライバからの処理指示かを判断する判断手段と、
前記共通ドライバからの指示か、前記固有ドライバからの指示かに応じて、綴じる際に前記自装置の処理内容の影響度を異ならせる制御を行う制御手段と、を備えた、
ことを特徴とする記録材処理装置。
【請求項４】
前記制御手段は、前記共通ドライバからの指示の場合には、前記自装置で設定されている内容に応じて綴じ手段を選択し、前記固有ドライバからの指示の場合には、前記固有ドライバで設定されている内容で綴じを行う、
ことを特徴とする請求項３に記載の記録材処理装置。
【請求項５】
前記自装置で設定されている処理内容は、前記第１綴じ手段で行う前記第１綴じ、又は、前記第２綴じ手段で行う前記第２綴じのいずれを優先するかの設定である、
ことを特徴とする請求項２又は４に記載の記録材処理装置。
【請求項６】
前記制御手段は、前記指示の中に綴じ指示があり且つ前記自装置で前記第２綴じが優先して設定されている場合には前記第２綴じで綴じを行い、前記指示の中に綴じ指示があり且つ前記自装置で前記第２綴じが優先される設定がされていない場合には前記第１綴じで綴じを行う、
ことを特徴とする請求項１又は３に記載の記録材処理装置。
【請求項７】
前記第２綴じは、針を用いない綴じ方式であって、前記自装置で設定されている処理内容が安全性優先の場合には、前記第２綴じを優先させる、
ことを特徴とする請求項５に記載の記録材処理装置。
【請求項８】
前記自装置で設定されている処理内容は、前記第２綴じを指定するものであって、前記制御手段は、前記第１ドライバから綴じが指定されていない場合でも、前記記録材に前記第２綴じを行う、
ことを特徴とする請求項１又は２に記載の記録材処理装置。
【請求項９】
前記自装置で設定されている処理内容は、前記第２綴じを指定するものであって、前記制御手段は、前記共通ドライバから綴じが指定されていない場合でも、前記記録材に前記第２綴じを行う、
ことを特徴とする請求項３又は４に記載の記録材処理装置。
【請求項１０】
前記制御手段は、前記第１ドライバから綴じが指定されている場合にのみ、前記自装置で設定されている処理内容で綴じを行う、
ことを特徴とする請求項１又は２に記載の記録材処理装置。
【請求項１１】
前記制御手段は、前記共通ドライバから綴じが指定されている場合にのみ、前記自装置で設定されている処理内容で綴じを行う、
ことを特徴とする請求項３又は４に記載の記録材処理装置。
【請求項１２】
前記処理内容を報知する報知手段を備え、前記第１ドライバからの指示の場合には、前記第２ドライバからの指示の場合よりも、多くの情報を報知する、
ことを特徴とする請求項１又は２に記載の記録材処理装置。
【請求項１３】
前記処理内容を報知する報知手段を備え、前記共通ドライバからの指示の場合には、前記固有ドライバからの指示の場合よりも、多くの情報を報知する、
ことを特徴とする請求項３又は４に記載の記録材処理装置。
【請求項１４】
前記第２ドライバからの指示を受け付けた場合に、前記第２ドライバで設定されている処理内容で綴じ処理を行うか、前記自装置で設定されている処理内容で綴じを行うか選択するための表示を行う、
ことを特徴とする請求項１又は２に記載の記録材処理装置。
【請求項１５】
前記固有ドライバからの指示を受け付けた場合に、前記固有ドライバで設定されている内容で綴じ処理を行うか、前記自装置で設定されている処理内容で綴じを行うか選択するための表示を行う、
ことを特徴とする請求項３又は４に記載の記録材処理装置。
【請求項１６】
記録材に画像を形成する画像形成装置と、
前記画像形成装置で画像が形成された前記記録材に対して綴じを行う請求項１ないし１４のいずれか１項に記載の記録材処理装置と、を備えた、
ことを特徴とする画像形成システム。
【発明の詳細な説明】
【技術分野】
【０００１】
本発明は、記録材処理装置及び画像形成システムに関する。
【背景技術】
【０００２】
針を使用せずにシート束を綴じる第１の綴じ手段と、針を使用してシート束を綴じる第２の綴じ手段と、シート束を綴じる枚数によって、第１の綴じ手段及び第２の綴じ手段の何れか一方による綴じ処理に自動的に切り替える制御を行う制御手段と、ユーザにより設定された印刷設定情報から第１の綴じ手段と第２の綴じ手段とによりそれぞれなされる綴じ処理内容を導き出す導出手段と、導出手段の各綴じ処理内容を報知する報知手段と、印刷処理実行前に、ユーザに対して現在の印刷設定状況を確認させるための各綴じ処理内容の報知をするように報知手段を制御する報知制御手段と、を備えた、画像形成装置に接続されたシート処理装置が知られている（特許文献１）。
【先行技術文献】
【特許文献】
【０００３】
【特許文献１】特開２０１６−２６９７１号公報
【発明の概要】
【発明が解決しようとする課題】
【０００４】
本発明は、一回の印刷情報設定で使用者が意図する内容で記録材の綴じが行われる記録材処理装置及び画像形成システムを提供する。
【課題を解決するための手段】
【０００５】
前記課題を解決するために、請求項１に記載の記録材処理装置は、
記録材に第１綴じを行う第１綴じ手段と、
前記記録材に前記第１綴じとは異なる第２綴じを行う第２綴じ手段と、
前記第１綴じか前記第２綴じかを選択する選択部のない第１ドライバからの指示か、前記第１綴じか前記第２綴じかを選択する選択部のある第２ドライバからの指示かを判断する判断手段と、
前記第１ドライバからの指示か、前記第２ドライバからの指示かに応じて、綴じる際に自装置の処理内容の影響度を異ならせる制御を行う制御手段と、を備えた、
ことを特徴とする。
【０００６】
請求項２記載の発明は、請求項１に記載の記録材処理装置において、
前記制御手段は、前記第１ドライバからの指示の場合には、前記自装置で設定されている内容に応じて綴じ手段を選択し、前記第２ドライバからの指示の場合には、前記第２ドライバで設定されている内容で綴じを行う、
ことを特徴とする。
【０００７】
前記課題を解決するために、請求項３に記載の記録材処理装置は、
記録材に第１綴じを行う第１綴じ手段と、
前記記録材に前記第１綴じとは異なる第２綴じを行う第２綴じ手段と、
複数の機種の装置への印刷情報設定が可能な共通ドライバからの指示か、自装置を想定して印刷情報設定を行う固有ドライバからの処理指示かを判断する判断手段と、
前記共通ドライバからの指示か、前記固有ドライバからの指示かに応じて、綴じる際に前記自装置の処理内容の影響度を異ならせる制御を行う制御手段と、を備えた、
ことを特徴とする。
【０００８】
請求項４記載の発明は、請求項３に記載の記録材処理装置において、
前記制御手段は、前記共通ドライバからの指示の場合には、前記自装置で設定されている内容に応じて綴じ手段を選択し、前記固有ドライバからの指示の場合には、前記固有ドライバで設定されている内容で綴じを行う、
ことを特徴とする。
【０００９】
請求項５記載の発明は、請求項２又は４に記載の記録材処理装置において、
前記自装置で設定されている処理内容は、前記第１綴じ手段で行う前記第１綴じ、又は、前記第２綴じ手段で行う前記第２綴じのいずれを優先するかの設定である、
ことを特徴とする。
【００１０】
請求項６記載の発明は、請求項１又は３に記載の記録材処理装置において、
前記制御手段は、前記指示の中に綴じ指示があり且つ前記自装置で前記第２綴じが優先して設定されている場合には前記第２綴じで綴じを行い、前記指示の中に綴じ指示があり且つ前記自装置で前記第２綴じが優先される設定がされていない場合には前記第１綴じで綴じを行う、
ことを特徴とする。
【００１１】
請求項７記載の発明は、請求項５に記載の記録材処理装置において、
前記第２綴じは、針を用いない綴じ方式であって、前記自装置で設定されている処理内容が安全性優先の場合には、前記第２綴じを優先させる、
ことを特徴とする。
【００１２】
請求項８記載の発明は、請求項１又は２に記載の記録材処理装置において、
前記自装置で設定されている処理内容は、前記第２綴じを指定するものであって、前記制御手段は、前記第１ドライバから綴じが指定されていない場合でも、前記記録材に前記第２綴じを行う、
ことを特徴とする。
【００１３】
請求項９記載の発明は、請求項３又は４に記載の記録材処理装置において、
前記自装置で設定されている処理内容は、前記第２綴じを指定するものであって、前記制御手段は、前記共通ドライバから綴じが指定されていない場合でも、前記記録材に前記第２綴じを行う、
ことを特徴とする。
【００１４】
請求項１０記載の発明は、請求項１又は２に記載の記録材処理装置において、
前記制御手段は、前記第１ドライバから綴じが指定されている場合にのみ、前記自装置で設定されている処理内容で綴じを行う、
ことを特徴とする。
【００１５】
請求項１１記載の発明は、請求項３又は４に記載の記録材処理装置において、
前記制御手段は、前記共通ドライバから綴じが指定されている場合にのみ、前記自装置で設定されている処理内容で綴じを行う、
ことを特徴とする。
【００１６】
請求項１２記載の発明は、請求項１又は２に記載の記録材処理装置において、
前記処理内容を報知する報知手段を備え、前記第１ドライバからの指示の場合には、前記第２ドライバからの指示の場合よりも、多くの情報を報知する、
ことを特徴とする。
【００１７】
請求項１３記載の発明は、請求項３又は４に記載の記録材処理装置において、
前記処理内容を報知する報知手段を備え、前記共通ドライバからの指示の場合には、前記固有ドライバからの指示の場合よりも、多くの情報を報知する、
ことを特徴とする。
【００１８】
請求項１４記載の発明は、請求項１又は２に記載の記録材処理装置において、
前記第２ドライバからの指示を受け付けた場合に、前記第２ドライバで設定されている処理内容で綴じ処理を行うか、前記自装置で設定されている処理内容で綴じを行うか選択するための表示を行う、
ことを特徴とする。
【００１９】
請求項１５記載の発明は、請求項３又は４に記載の記録材処理装置において、
前記固有ドライバからの指示を受け付けた場合に、前記固有ドライバで設定されている処理内容で綴じ処理を行うか、前記自装置で設定されている処理内容で綴じを行うか選択するための表示を行う、
ことを特徴とする。
【００２０】
前記課題を解決するために、請求項１６に記載の画像形成システムは、
記録材に画像を形成する画像形成装置と、
前記画像形成装置で画像が形成された前記記録材に対して綴じを行う請求項１ないし１０のいずれか１項に記載の記録材処理装置と、を備えた、
ことを特徴とする。
【発明の効果】
【００２１】
請求項１、２、３、４に記載の発明によれば、一回の印刷情報設定で使用者が意図する処理内容で記録材の綴じ処理を行うことができる。
【００２２】
請求項５、６に記載の発明によれば、一回の印刷情報設定で使用者が意図する処理内容で記録材の綴じ処理を行うことができる。
【００２３】
請求項７に記載の発明によれば、意図せずに針が混入することを防止することができる。
【００２４】
請求項８に記載の発明によれば、第２綴じを設定することができない第１ドライバからの指示であっても、第２綴じを施すことができる。
【００２５】
請求項９に記載の発明によれば、第２綴じを設定することができない共通ドライバからの指示であっても、第２綴じを施すことができる。
【００２６】
請求項１０、１１に記載の発明によれば、第１綴じ又は第２綴じのいずれかの綴じを施すことができる。
【００２７】
請求項１２、１３に記載の発明によれば、ドライバから指示を出した際には、意図して指示していない綴じで綴じが施される可能性がある場合に、その旨を予め報知することができる。
【００２８】
請求項１４、１５に記載の発明によれば、綴じ内容を使用者が選択することができる。
【００２９】
請求項１６に記載の発明によれば、記録材に針綴じ処理又は針無し綴じのいずれも施すことができる。
【図面の簡単な説明】
【００３０】
【図１】本実施形態に係る記録材処理装置が適用される画像形成システムを示す概略構成図である。
【図２】綴じ処理機構の全体構成を示す平面模式図である。
【図３】（ａ）はコンパイルトレイ周辺の構成を示す断面模式図、（ｂ）は平面模式図である。
【図４】画像形成システムと端末装置の機能構成を示すブロック図である。
【図５】端末装置の表示部に表示される固有ドライバの印刷情報設定画面の一例を示す図である。
【図６】端末装置の表示部に表示される共通ドライバの印刷情報設定画面の一例を示す図である。
【図７】共通ドライバからの印刷指示を受け付けた場合の記録材処理装置における綴じ処理の流れを示すフローチャートである。
【図８】共通ドライバ又は固有ドライバからの印刷指示を受け付けた場合の記録材処理装置における綴じ処理の流れを示すフローチャートである。
【図９】共通ドライバ又は固有ドライバからの印刷指示を受け付けた場合の変形例に係る記録材処理装置における綴じ処理の流れを示すフローチャートである。
【図１０】綴じ処理を行う際に端末装置又は画像形成システムに表示される綴じ処理設定確認画面の例を示す図である。
【図１１】共通ドライバからの印刷指示を受け付けた場合の比較例の記録材処理装置における綴じ処理の流れを示すフローチャートである。
【図１２】固有ドライバからの印刷指示を受け付けた場合の比較例の記録材処理装置における綴じ処理の流れを示すフローチャートである。
【発明を実施するための形態】
【００３１】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
【００３２】
（１）画像形成システムの全体構成及び動作
図１は本実施形態に係る記録材処理装置が適用される画像形成システム１００を示す概略構成図である。図１に示す画像形成システム１００は、電子写真方式によって画像を形成するプリンタや複写機等の画像形成装置１と、画像形成装置１によってトナー像が形成された用紙Ｐに後処理を施す記録材処理装置２とを備えている。以下、図面を参照しながら、画像形成システム１００の全体構成及び動作を説明する。
【００３３】
（１．１）画像形成装置の全体構成と動作
画像形成装置１は、制御装置１０、給紙装置２０、感光体ユニット３０、現像装置４０、転写装置５０、定着装置６０、操作表示部７０、を備えて構成されている。画像形成装置１の上面（Ｚ方向）には、搬送装置８０が配置され、画像が記録された記録材としての用紙Ｐが記録材処理装置２へと導かれる。
【００３４】
制御装置１０は、画像形成装置１の動作を制御する画像形成装置制御部１１と、印刷処理要求に応じた画像データを準備するコントローラ部１２、露光装置ＬＨの点灯を制御する露光制御部１３、電源装置１４等を有する。電源装置１４は、後述する帯電ローラ３２、現像ローラ４２、一次転写ローラ５２、二次転写ローラ５３等に電圧を印加するとともに、露光装置ＬＨに電力を供給する。
【００３５】
コントローラ部１２は、外部の情報送信装置（例えばパーソナルコンピュータ等）から入力された印刷情報を潜像形成用の画像情報に変換して予め設定されたタイミングで、駆動信号を露光装置ＬＨに出力する。本実施形態の露光装置ＬＨは、ＬＥＤ（Light  Emitting  Diode）が線状に配置されたＬＥＤヘッドにより構成されている。
【００３６】
画像形成装置１の底部には、給紙装置２０が設けられている。給紙装置２０は、用紙積載板２１を備え、用紙積載板２１の上面には多数の記録媒体としての用紙Ｐが積載される。用紙積載板２１に積載され、規制板（不図示）で幅方向位置が決められた用紙Ｐは、上側から１枚ずつ用紙引き出し部２２により前方（−Ｘ方向）に引き出された後、レジストローラ対２３のニップ部まで搬送される。
【００３７】
感光体ユニット３０は、給紙装置２０の上方（Ｚ方向）に、それぞれが並列して設けられ、回転駆動する像保持体としての感光体ドラム３１を備えている。感光体ドラム３１の回転方向にそって、帯電ローラ３２、露光装置ＬＨ、現像装置４０、一次転写ローラ５２、クリーニングブレード３４が配置されている。帯電ローラ３２には、帯電ローラ３２の表面をクリーニングするクリーニングローラ３３が対向、接触して配置されている。
【００３８】
現像装置４０は、内部に現像剤が収容される現像ハウジング４１を有する。現像ハウジング４１内には、感光体ドラム３１に対向して配置された現像ローラ４２と、この現像ローラ４２の背面側斜め下方には現像剤を現像ローラ４２側へ撹拌搬送する一対のオーガ４４、４５が配設されている。現像ローラ４２には、現像剤の層厚を規制する層規制部材４６が近接配置されている。
現像装置４０各々は、現像ハウジング４１に収容される現像剤を除いて略同様に構成され、それぞれがイエロー（Ｙ）、マゼンタ（Ｍ）、シアン（Ｃ）、黒（Ｋ）のトナー像を形成する。
【００３９】
回転する感光体ドラム３１の表面は、帯電ローラ３２により帯電され、露光装置ＬＨから出射する潜像形成光により静電潜像が形成される。感光体ドラム３１上に形成された静電潜像は現像ローラ４２によりトナー像として現像される。
【００４０】
転写装置５０は、各感光体ユニット３０の感光体ドラム３１にて形成された各色トナー像が多重転写される中間転写ベルト５１、各感光体ユニット３０にて形成された各色トナー像を中間転写ベルト５１に順次転写（一次転写）する一次転写ローラ５２を備えている。さらに、中間転写ベルト５１上に重畳して転写された各色トナー像を記録媒体である用紙Ｐに一括転写（二次転写）する二次転写ローラ５３、とから構成されている。
【００４１】
各感光体ユニット３０の感光体ドラム３１に形成された各色トナー像は、画像形成装置制御部１１により制御される電源装置１４等から所定の転写電圧が印加された一次転写ローラ５２により中間転写ベルト５１上に順次静電転写（一次転写）され、各色トナーが重畳された重畳トナー像が形成される。
【００４２】
中間転写ベルト５１上の重畳トナー像は、中間転写ベルト５１の移動に伴って二次転写ローラ５３が配置された領域（二次転写部Ｔ）に搬送される。重畳トナー像が二次転写部Ｔに搬送されると、そのタイミングに合わせて給紙装置２０から用紙Ｐが二次転写部Ｔに供給される。そして、二次転写ローラ５３には、画像形成装置制御部１１により制御される電源装置１４から所定の転写電圧が印加され、レジストローラ対２３から送り出され、搬送ガイドにより案内された用紙Ｐに中間転写ベルト５１上の多重トナー像が一括転写される。
【００４３】
感光体ドラム３１表面の残留トナーは、クリーニングブレード３４により除去され、廃現像剤収容部に回収される。感光体ドラム３１の表面は、帯電ローラ３２により再帯電される。尚、クリーニングブレード３４で除去しきれず帯電ローラ３２に付着した残留物は、帯電ローラ３２に接触して回転するクリーニングローラ３３表面に捕捉され、蓄積される。
【００４４】
定着装置６０は加熱モジュール６１と加圧モジュール６２を有し、加熱モジュール６１と加圧モジュール６２の圧接領域によって定着ニップ部Ｎ（定着領域）が形成される。
転写装置５０においてトナー像が転写された用紙Ｐは、トナー像が未定着の状態で搬送ガイドを経由して定着装置６０に搬送される。定着装置６０に搬送された用紙Ｐは、一対の加熱モジュール６１と加圧モジュール６２により、圧着と加熱の作用でトナー像が定着される。
定着トナー像が形成された用紙Ｐは、搬送ガイド６５ａ、６５ｂによってガイドされ、排出ローラ対６９から画像形成装置１上面に配置された搬送装置８０へ排出される。
【００４５】
操作表示部７０は、液晶表示パネル、各種操作ボタン、タッチパネル等を組み合わせて構成され、画像形成装置１の利用者は、操作表示部７０を介して各種の設定や指示の入力を行う。また、液晶表示パネルを介して画像形成装置１の利用者へ各種情報を表示する。
【００４６】
（１．２）記録材処理装置の構成と動作
記録材処理装置２は、画像形成装置１から出力された用紙Ｐを更に下流側に搬送する搬送装置８０と、搬送装置８０から搬入された用紙Ｐに対して、用紙Ｐを揃えて束ねるコンパイルトレイ２１０や用紙Ｐの端部を綴じる綴じ処理機構（ステープラ）２２０、中綴じ折り処理を施して冊子を作製する中綴じ折り処理機構２３０などを含む後処理装置２００とを備えている。
【００４７】
搬送装置８０は、画像形成装置１の排出ローラ対６９を介して出力される用紙Ｐを受け取る入口ローラ８１と、この入口ローラ８１にて受け取られた用紙Ｐを下流側へと搬送する第１搬送ローラ８２と、後処理装置２００に向けて用紙Ｐを搬送する第２搬送ローラ８３とを有する。
【００４８】
記録材処理装置２は、搬送装置８０を介して用紙Ｐを受け取る受け取りローラ２０１の下流側に、記録材搬送部として、第１後処理搬送路Ｓ１、第２後処理搬送路Ｓ２、第３後処理搬送路Ｓ３、第４後処理搬送路Ｓ４を有し、第１後処理搬送路Ｓ１、第２後処理搬送路Ｓ２と第４後処理搬送路Ｓ４は切り替えゲートＧ１により選択されるようになっている。また、第１後処理搬送路Ｓ１と第２後処理搬送路Ｓ２は切り替えゲートＧ２によって選択される。
【００４９】
第１後処理搬送路Ｓ１は、トップトレイＴＲ１に接続されており、この第１後処理搬送路Ｓ１からは後処理がなされない用紙Ｐが排出される。
第２後処理搬送路Ｓ２は、下流側に設けられたコンパイルトレイ２１０に接続されており、綴じ処理機構２２０で作成された用紙束ＰＢがスタッカトレイＴＲ２に排出される。
第３後処理搬送路Ｓ３は、第２後処理搬送路Ｓ２の途中から分岐して設けられ、コンパイルトレイ２１０側から逆転搬送される用紙Ｐを一時的に保持する。
第４後処理搬送路Ｓ４は、中綴じ折り処理機構２３０に接続されおり、中綴じ折り処理機構２３０で作成された冊子が冊子トレイＴＲ３に排出される。
【００５０】
（２）綴じ処理機構
図２は綴じ処理機構２２０の全体構成を示す平面模式図、図３（ａ）はコンパイルトレイ２１０周辺の構成を示す断面模式図、（ｂ）は平面模式図である。
【００５１】
（２．１）綴じ処理機構の全体構成
綴じ処理機構２２０は、図２に示すように、コンパイルトレイ２１０で集積され束ねられた用紙束ＰＢに対して、ステープル（針）を用いて綴じ処理（針有り綴じ）を行う第１綴じ手段としての針有り綴じ部２２１と、ステープル（針）を用いずに綴じ処理（針無し綴じ）を行う第２綴じ手段としての針無し綴じ部２２２とを備えている。そして、綴じ処理機構２２０は、印刷情報設定に応じて用紙束ＰＢに対する針有り綴じ処理及び針無し綴じ処理が選択可能になっている。
【００５２】
（２．２）コンパイルトレイ
コンパイルトレイ２１０は、用紙Ｐを積載する底部２１０ａの上面に沿って用紙Ｐが落下するよう傾斜して設けられ、図４に示すように、一端側には底部２１０ａに沿って落下する用紙Ｐの後端側の端部を揃えるよう配置されたエンドガイド２１０ｂを有する。
コンパイルトレイ２１０の上方にはパドル２１７が設けられている。パドル２１７は、図４の矢印方向に回転することで、第１の進行方向Ｆ１方向（図４中に図示）に沿って搬送された用紙Ｐを、コンパイルトレイ２１０上で第２の進行方向Ｆ２（図４中に図示）に押し込むよう構成されている。
【００５３】
コンパイルトレイ２１０の中間部には、用紙Ｐを幅方向に整列するタンパ２１８が第２の進行方向Ｆ２と交差する方向で、モータ（不図示）の駆動を受けて互いの距離が変化するように設けられている。
【００５４】
コンパイルトレイ２１０の先端側には、イジェクトローラ（用紙束搬送ローラ）２１３が設けられている。イジェクトローラ（用紙束搬送ローラ）２１３は、第１イジェクトローラ２１３ａと第２イジェクトローラ２１３ｂとからなる。
第１イジェクトローラ２１３ａは、モータ等（不図示）の駆動を受けて第２イジェクトローラ２１３ｂに対して進退可能に備えられている。第２イジェクトローラ２１３ｂは、コンパイルトレイ２１０の底部２１０ａの用紙Ｐが積載される面の裏面側に固定して配置されており、回転運動のみを行うよう備えられている。
そして、第１イジェクトローラ２１３ａが用紙Ｐに接触した状態で第２イジェクトローラ２１３ｂが回転駆動され、用紙束ＰＢを上昇させてスタッカトレイＴＲ２上へ搬送する。
【００５５】
（２．３）綴じ処理動作
図２に示すように、綴じ処理機構２２０は、針有り綴じ部２２１及び針無し綴じ部２２２の移動を案内する案内部２２５を有し、針有り綴じ部２２１及び針無し綴じ部２２２は、それぞれの待機位置から案内部２２５に沿って移動して、用紙束ＰＢの所定の綴じ位置に綴じ処理をする。
案内部２２５は、幅方向に延びる共通路２２５ａと、共通路２２５ａの一端に位置する分岐点２２５ｂと、分岐点２２５ｂを介して共通路２２５ａと連続する針無し路２２５ｃ及び針有り路２２５ｄを有している。
【００５６】
針有り綴じ部２２１は、分岐点２２５ｂを介して共通路２２５a及び針有り路２２５ｄとの間で移動可能になっている（図２中  矢印Ｄ１参照）。針無し綴じ部２２２は、分岐点２２５ｂを介して共通路２２５ａ及び針無し路２２５ｃとの間で移動可能になっている（図２中  矢印Ｄ２参照）。
後処理装置２００は、このような移動経路を切り替えることで、針有り綴じ部２２１及び針無し綴じ部２２２を予め定めた待機位置に誘導して、綴じ処理に応じて、針有り綴じ部２２１及び針無し綴じ部２２２が、案内部２２５内を所定の位置まで移動してそれぞれの綴じ処理が行われる。
【００５７】
綴じ処理機構２２０は、用紙束ＰＢを構成する用紙Ｐの枚数が予め定められた枚数を越える場合に、針有り綴じ部２２１が第１綴じとしてステープル（針）を用いた針有り綴じを行い、枚数がこの予め定められた枚数以下の場合、針無し綴じ部２２２が第２綴じとしてステープル（針）を用いずに針無し綴じを行う。
【００５８】
（３）綴じ処理制御
図４は画像形成システム１００と端末装置３００の機能構成を示すブロック図、図５は端末装置３００の表示部３２０に表示される固有ドライバの印刷情報設定画面の一例を示す図、図７は端末装置３００の表示部３２０に表示される共通ドライバの印刷情報設定画面の一例を示す図である。以下、図面を参照しながら記録材処理装置２における綴じ処理制御について説明する。
【００５９】
（３．１）端末装置からの画像形成動作
端末装置３００は、論理演算及び算術演算を実行するＣＰＵ３１０、ユーザに対して演算結果などを表示する表示部３２０、ユーザにより指示やデータなどが入力される入力部３３０、ＣＰＵ３１０の実行においてプログラムやデータなどを保持する一次記憶部３４０、オペレーティングシステム（ＯＳ）３５１、アプリケーション３５２、ユーザが作成した画像を画像形成システム１００により用紙上に画像として形成できる形式の画像データに変換するプリンタドライバ３５３などを保持する二次記憶部３５０、通信回線ＮＷに接続されて作成された画像データの送信や画像形成システム１００からの応答を受信する通信Ｉ／Ｆ部３６０を備えている。
【００６０】
画像を画像形成システム１００により用紙Ｐに形成する場合には、ユーザは、端末装置３００において、画像形成システム１００による画像形成を指示する。
画像形成の指示を受け付けると、ＣＰＵ３１０は、二次記憶部３５０からプリンタドライバ３５３を読み出し（ロードし）、実行可能な形式で一次記憶部３４０に書き込み、動作状態にする。
プリンタドライバ３５３は、指定された画像を、画像形成システム１００が処理可能な形式（フォーマット）の画像データに変換し、変換された画像データが通信Ｉ／Ｆ部３６０に送信され、通信回線ＮＷを介して画像形成システム１００に送信される。
【００６１】
画像形成システム１００においては、画像形成装置１の制御装置１０で、画像データに対して予め定められた画像処理を施して用紙Ｐ上に画像を形成する。
このとき、端末装置３００から画像形成システム１００に送信される画像データは、画像形成システム１００の制御装置１０によって、予め定められた画像処理ができる形式であることが求められる。すなわち、プリンタドライバ３５３は、ユーザが指定した画像を予め定められたページ記述言語（ＰＤＬ：Ｐａｇｅ  Ｄｅｓｃｒｉｐｔｉｏｎ  Ｌａｎｇｕａｇｅ）で記述するとともに、画像が形成される用紙Ｐの種類、サイズ及び用紙Ｐに施される処理などに関する情報など画像形成システム１００を制御するための制御命令（制御コマンド）やスクリーン／ハーフトーン処理、画像形成システム１００の特性に合わせた画像処理などの指示を付加して画像データに変換する。
【００６２】
一方、端末装置３００から画像形成システム１００に送信された画像データが画像形成システム１００に対応しないＰＤＬで記述されている場合や、制御命令が画像形成システム１００に対応しない場合には、画像形成システム１００によって用紙Ｐ上に形成される画像や、用紙Ｐに施される処理は、端末装置３００における指示と異なることになる。これは、端末装置３００のプリンタドライバ３５３が、接続された固有の画像形成システム１００が備える共通の機能を選択且つ設定可能な共通ドライバの場合に発生する。
【００６３】
（３．２）印刷ドライバ
図５に示す特定の画像形成システム１００に専用に設定される固有ドライバの印刷情報設定画面３２１では、例えば機種が分かるように画像形成システム１００の全体構成の模式図を示すとともに、この画像形成システム１００が提供するすべての機能が選択且つ設定可能になっている。
【００６４】
これに対して、図６に示す共通ドライバの印刷情報設定画面３２２では、画像形成システム１００の全体構成の模式図を示さず、複数の機種の画像形成システム１００が備える共通の機能を選択且つ設定可能になっている。すなわち、図６に示した固有ドライバの印刷情報設定画面３２１に比べ、選択且つ設定可能な機能が制限され、一例として、綴じ処理を指定する機能、製本又はポスターを製作する機能等がない。
【００６５】
（３．３）綴じ処理制御
図１１は、共通ドライバからの印刷指示を受け付けた場合の比較例の記録材処理装置４００における綴じ処理の流れを示すフローチャート、図１２は固有ドライバからの印刷指示を受け付けた場合の比較例の記録材処理装置４００における綴じ処理の流れを示すフローチャートである。
比較例に係る記録材処理装置４００は、共通ドライバからの印刷指示か、固有ドライバからの印刷指示を判断する判断手段を備えていない。そのために、共通ドライバからの印刷指示を受け付けた場合（Ｓ４０１）、機器制御命令として綴じ処理（ステープラ処理）の指示が含まれているか否かを判断（Ｓ４０２）し、綴じ処理命令が含まれていた場合（Ｓ４０２：Ｙｅｓ）、第１綴じ（針有り綴じ）で綴じ処理を行う（Ｓ４０３）。
綴じ処理命令が含まれていない場合（Ｓ４０２：Ｎｏ）、用紙Ｐには綴じ処理を行わず、第１後処理搬送路Ｓ１からトップトレイＴＲ１にそのまま排出する（Ｓ４０４）。
【００６６】
固有ドライバからの印刷指示を受け付けた場合（Ｓ５０１）、機器制御命令として綴じ処理（ステープラ処理）の指示が含まれているか否かを判断（Ｓ５０２）し、綴じ処理命令が含まれていた場合（Ｓ５０２：Ｙｅｓ）、さらに第２綴じ（針無し綴じ）の綴じ処理指示か否かを判断する（Ｓ５０３）。その結果、綴じ処理の指示が第２綴じ（針無し綴じ）の綴じ処理指示であった場合（Ｓ５０３：Ｙｅｓ）、用紙束ＰＢに第２綴じ（針無し綴じ）で綴じ処理を行い（Ｓ５０４）、綴じ処理の指示が第２綴じ（針無し綴じ）の綴じ処理指示ではなかった場合（Ｓ５０３：Ｎｏ）、用紙束ＰＢに第１綴じ（針有り綴じ）で綴じ処理を行う（Ｓ５０５）。
また、ステップＳ５０２で綴じ処理命令が含まれていなかった場合（Ｓ５０２：Ｎｏ）、用紙Ｐには綴じ処理を行わず、第１後処理搬送路Ｓ１からトップトレイＴＲ１にそのまま排出する（Ｓ５０６）。
【００６７】
このように、共通ドライバでは、第２綴じ（針無し綴じ）の綴じ処理指示ができないために、ユーザが設定した綴じ処理内容に第１綴じ（針有り綴じ）又は第２綴じ（針無し綴じ）のいずれかが設定されているか否かに拘らず、用紙束ＰＢの枚数で自動的に綴じ処理を切り替えるために、ユーザは一回の印刷設定で意図する綴じ処理結果を得ることができなかった。
【００６８】
本実施形態に係る記録材処理装置２においては、第１綴じ（針有り綴じ）か第２綴じ（針無し綴じ）かを選択する選択部のない第１ドライバからの指示か、第１綴じ（針有り綴じ）か第２綴じ（針無し綴じ）かを選択する選択部のある第２ドライバからの指示かに応じて、綴じる際に自装置の処理内容の影響度を異ならせるように制御を行う。
【００６９】
また、本実施形態に係る記録材処理装置２においては、複数の画像形成システム１００への印刷情報設定が可能な共通ドライバからの指示か、自装置を想定して印刷情報設定を行う固有ドライバからの処理指示かに応じて、綴じる際に自装置の処理内容の影響度を異ならせる制御を行う。
【００７０】
具体的には、第１ドライバ又は共通ドライバからの指示の場合には、自装置で設定されている処理内容、すなわち第１綴じ手段としての針有り綴じ部２２１で行う第１綴じ（針有り綴じ）、又は第２綴じ手段としての針無し綴じ部２２２で行う第２綴じ（針無し綴じ）のいずれを優先するかの設定に応じて、針有り綴じ部２２１又は針無し綴じ部２２２を選択し、第２ドライバ又は固有ドライバからの指示の場合には、第２ドライバ又は固有ドライバで設定されている処理内容で綴じ処理を行う。
【００７１】
図７は、共通ドライバからの印刷指示を受け付けた場合の記録材処理装置２における綴じ処理の流れを示すフローチャートである。以下、共通ドライバからの印刷指示を受け付けた場合の記録材処理装置２における綴じ処理の流れを説明するが、第１綴じ（針有り綴じ）か第２綴じ（針無し綴じ）かを選択する選択部のない第１ドライバであっても同様である。
【００７２】
共通ドライバからの印刷指示を受け付けた場合（Ｓ１０１）、判断部２４０は、機器制御命令として綴じ処理（ステープラ処理）の指示が含まれているか否かを判断（Ｓ１０２）し、綴じ処理命令が含まれていた場合（Ｓ１０２：Ｙｅｓ）、自装置の設定が第２綴じ（針無し綴じ）の綴じ処理優先か否かを判断する（Ｓ１０３）。尚、自装置の設定が安全性優先の綴じ処理である場合にも第２綴じ（針無し綴じ）の綴じ処理優先と判断する。
【００７３】
その結果、自装置の設定が第２綴じ（針無し綴じ）の綴じ処理優先であった場合（Ｓ１０３：Ｙｅｓ）、制御部２５０は、用紙束ＰＢに第２綴じ（針無し綴じ）で綴じ処理を行い（Ｓ１０４）、自装置の設定が第２綴じ（針無し綴じ）の綴じ処理優先でなかった場合（Ｓ１０３：Ｎｏ）、用紙束ＰＢに第１綴じ（針有り綴じ）で綴じ処理を行う（Ｓ１０５）。
【００７４】
ステップＳ１０２で綴じ処理命令が含まれていなかった場合（Ｓ１０２：Ｎｏ）、用紙Ｐには綴じ処理を行わず、第１後処理搬送路Ｓ１からトップトレイＴＲ１にそのまま排出する（Ｓ１０６）。
尚、ステップＳ１０２で綴じ処理命令が含まれていなかった場合（Ｓ１０２：Ｎｏ）、用紙束ＰＢに第２綴じ（針無し綴じ）で綴じ処理を行ってもよい。これにより、第２綴じ（針無し綴じ）を設定することができない第１ドライバ又は共通ドライバからの指示であっても、第２綴じ（針無し綴じ）を施すことができる。
【００７５】
このように、共通ドライバからの印刷指示を受け付け、機器制御命令として綴じ処理（ステープラ処理）の指示が含まれている場合、自装置の設定が第２綴じ（針無し綴じ）の綴じ処理優先であるか否かの判断を行うことで第２綴じ（針無し綴じ）の綴じ処理の選択ができない共通ドライバからの印刷指示であっても第２綴じ（針無し綴じ）の綴じ処理が可能となる。
【００７６】
図８は、共通ドライバ又は固有ドライバからの印刷指示を受け付けた場合の記録材処理装置２における綴じ処理の流れを示すフローチャートである。
端末装置３００からの印刷指示を受け付けた場合（Ｓ２０１）、判断部印刷情報設定が共通ドライバによるものか固有ドライバによるものかを判断する（Ｓ２０２）。印刷情報設定が共通ドライバによるものである場合（Ｓ２０２：Ａ）、機器制御命令として綴じ処理（ステープラ処理）の指示が含まれているか否かを判断（Ｓ２０３）し、綴じ処理命令が含まれていた場合（Ｓ２０３：Ｙｅｓ）、更に自装置の設定が第２綴じ（針無し綴じ）の綴じ処理優先か否かを判断する（Ｓ２０４）。
【００７７】
自装置の設定が第２綴じ（針無し綴じ）の綴じ処理優先であった場合（Ｓ２０４：Ｙｅｓ）、用紙束ＰＢに第２綴じ（針無し綴じ）で綴じ処理を行い（Ｓ２０５）、自装置の設定が第２綴じ（針無し綴じ）の綴じ処理優先でなかった場合（Ｓ２０４：Ｎｏ）、用紙束ＰＢに第１綴じ（針有り綴じ）で綴じ処理を行う（Ｓ２０６）。
また、ステップＳ２０３で綴じ処理命令が含まれていなかった場合（Ｓ２０３：Ｎｏ）、用紙Ｐには綴じ処理を行わず、第１後処理搬送路Ｓ１からトップトレイＴＲ１にそのまま排出する（Ｓ２０７）。
【００７８】
印刷情報設定が固有ドライバによるものである場合（Ｓ２０２：Ｂ）、機器制御命令として綴じ処理（ステープラ処理）の指示が含まれているか否かを判断（Ｓ２０８）し、綴じ処理命令が含まれていた場合（Ｓ２０８：Ｙｅｓ）、さらに第２綴じ（針無し綴じ）の綴じ処理指示か否かを判断する（Ｓ２０９）。その結果、綴じ処理の指示が第２綴じ（針無し綴じ）の綴じ処理指示であった場合（Ｓ２０９：Ｙｅｓ）、用紙束ＰＢに第２綴じ（針無し綴じ）で綴じ処理を行い（Ｓ２１０）、綴じ処理の指示が第２綴じ（針無し綴じ）の綴じ処理指示ではなかった場合（Ｓ２０９：Ｎｏ）、用紙束ＰＢに第１綴じ（針有り綴じ）で綴じ処理を行う（Ｓ２１１）。
また、ステップＳ２０８で綴じ処理命令が含まれていなかった場合（Ｓ２０８：Ｎｏ）、用紙Ｐには綴じ処理を行わず、第１後処理搬送路Ｓ１からトップトレイＴＲ１にそのまま排出する（Ｓ２１２）。
【００７９】
「変形例」
図９は共通ドライバ又は固有ドライバからの印刷指示を受け付けた場合の変形例に係る記録材処理装置２Ａにおける綴じ処理の流れを示すフローチャートである。
端末装置３００からの印刷指示を受け付けた場合（Ｓ３０１）、機器制御命令として綴じ処理（ステープラ処理）の指示が含まれているか否かを判断（Ｓ３０２）し、綴じ処理命令が含まれていた場合（Ｓ３０２：Ｙｅｓ）、さらに印刷情報設定が共通ドライバによるものか固有ドライバによるものかを判断する（Ｓ３０３）。
【００８０】
印刷情報設定が共通ドライバによるものである場合（Ｓ３０３：Ａ）、自装置の設定が第２綴じ（針無し綴じ）の綴じ処理優先か否かを判断する（Ｓ３０４）。
自装置の設定が第２綴じ（針無し綴じ）の綴じ処理優先であった場合（Ｓ３０４：Ｙｅｓ）、用紙束ＰＢに第２綴じ（針無し綴じ）で綴じ処理を行い（Ｓ３０５）、自装置の設定が第２綴じ（針無し綴じ）の綴じ処理優先でなかった場合（Ｓ３０４：Ｎｏ）、用紙束ＰＢに第１綴じ（針有り綴じ）で綴じ処理を行う（Ｓ３０６）。
また、ステップＳ３０２で綴じ処理命令が含まれていなかった場合（Ｓ３０２：Ｎｏ）、用紙Ｐには綴じ処理を行わず、第１後処理搬送路Ｓ１からトップトレイＴＲ１にそのまま排出する（Ｓ３０７）。
【００８１】
印刷情報設定が固有ドライバによるものである場合（Ｓ３０３：Ｂ）、さらに第２綴じ（針無し綴じ）の綴じ処理指示か否かを判断する（Ｓ３０８）。その結果、綴じ処理の指示が第２綴じ（針無し綴じ）の綴じ処理指示であった場合（Ｓ３０８：Ｙｅｓ）、用紙束ＰＢに第２綴じ（針無し綴じ）で綴じ処理を行い（Ｓ３０９）、綴じ処理の指示が第２綴じ（針無し綴じ）の綴じ処理指示ではなかった場合（Ｓ３０８：Ｎｏ）、用紙束ＰＢに第１綴じ（針有り綴じ）で綴じ処理を行う（Ｓ３１０）。
【００８２】
これにより、共通ドライバを用いて印刷情報設定を行う場合であっても、一回の印刷情報設定で使用者が意図する処理内容で記録材の綴じ処理を行うことができる。
【００８３】
尚、上述した動作の流れにおいて、印刷情報設定が共通ドライバによるものか固有ドライバによるものかの判断、綴じ処理（ステープラ処理）の指示が含まれているか否かの判断、自装置の設定が第２綴じ（針無し綴じ）の綴じ処理優先か否かの判断に関しては、その動作の流れにおいて、順序が変わってもよい。
【００８４】
図１０は綴じ処理を行う際に端末装置３００又は画像形成システム１００に表示される綴じ処理設定確認画面の例を示す図である。
このように、第１ドライバ又は共通ドライバからの印刷指示を受け付けた場合には、記録材処理装置２は、通信回線ＮＷを介して端末装置３００の表示部３２０に第２ドライバ又は固有ドライバからの印刷指示を受け付けた場合よりも、多くの情報を報知する。
具体的には、第１ドライバ又は共通ドライバからの印刷指示を受け付けた場合には、自装置の設定が第２綴じ（針無し綴じ）の綴じ処理優先であった場合、用紙束ＰＢに第２綴じ（針無し綴じ）で綴じ処理を行い、自装置の設定が第２綴じ（針無し綴じ）の綴じ処理優先でなかった場合には、用紙束ＰＢに第１綴じ（針有り綴じ）で綴じ処理を行う旨の情報を表示する。
これにより、ユーザが意図して指示していない綴じ処理内容で綴じが施される可能性がある場合に、その旨を予め報知することができる。
【００８５】
また、第２ドライバ又は固有ドライバからの印刷指示を受け付けた場合に、図１０に示すように、第２ドライバ又は固有ドライバで設定されている内容で綴じ処理を行うか、自装置で設定されている綴じ処理内容で綴じを行うか選択するための表示を行う。表示は、端末装置３００の表示部３２０に行ってもよく、画像形成システム１００の操作表示部７０に行ってもよい。これにより、ユーザが綴じ処理内容を選択することができる。
【符号の説明】
【００８６】
１００・・・画像形成システム
１００・・・画像形成システム  
１・・・画像形成装置
１０・・・制御装置
２０・・・給紙装置
３０・・・感光体ユニット
４０・・・現像装置
５０・・・転写装置
６０・・・定着装置
７０・・・操作表示部
２、２Ａ、４００・・・記録材処理装置
８０・・・搬送装置
２００・・・後処理装置
２０１・・・受け取りローラ
２０２、２０３、２０４・・・搬送ローラ
２０５・・・トップ排出ローラ
２１０・・・コンパイルトレイ
２１１・・・逆転ローラ
２１２・・・コンパイル排出ローラ
２１３・・・イジェクトローラ
２１４・・・バッファーローラ
２１７・・・パドル
２１８・・・タンパ
２２０・・・綴じ処理機構
２２１・・・針有り綴じ部
２２２・・・針無し綴じ部
３００・・・端末装置        
【図１】
2020011822.tif 000003
【図２】
2020011822.tif 000004
【図３】
2020011822.tif 000005
【図４】
2020011822.tif 000006
【図５】
2020011822.tif 000007
【図６】
2020011822.tif 000008
【図７】
2020011822.tif 000009
【図８】
2020011822.tif 000010
【図９】
2020011822.tif 000011
【図１０】
2020011822.tif 000012
【図１１】
2020011822.tif 000013
【図１２】
2020011822.tif 000014